(57)【要約】【課題】  ヒートポンプ式浴室除湿機からの排水を、浴室洗い場内に排水溝がない場合であっても、洗い場の床を濡らすことなく排水することができるヒートポンプ式浴室除湿機からの排水処理構造を提供する。【解決手段】  浴室の天井或は壁に設置されたヒートポンプ式浴室除湿機からの排水を、該除湿機のドレンパンで受けた後、該ドレンパンに一端が連通接続されたドレン排水管を通して、浴槽防水パンの水を排水する浴槽側排水部に連通接続された他端から、浴槽側排水部へと直接排水するように構成した。【選択図】図１
2008000451.tif 000002
【特許請求の範囲】
【請求項１】
浴室の天井或は壁に設置されたヒートポンプ式浴室除湿機からの排水を、該除湿機のドレンパンで受けた後、該ドレンパンに一端が連通接続されたドレン排水管を通して、浴槽防水パンの水を排水する浴槽側排水部に連通接続された他端から、該浴槽側排水部へと直接排水するように構成したことを特徴とするヒートポンプ式浴室除湿機からの排水処理構造。
【請求項２】
前記ドレン排水管の途中には、Ｓ字トラップを設けたことを特徴とする請求項１に記載のヒートポンプ式浴室除湿機からの排水処理構造。
【請求項３】
前記Ｓ字トラップは、浴槽エプロンを外したときに露呈する位置に配設されていることを特徴とする請求項２に記載のヒートポンプ式浴室除湿機からの排水処理構造。
【発明の詳細な説明】
【技術分野】
【０００１】
この発明は、浴室内に吊るした衣類や浴室自体を乾燥するためのヒートポンプを用いた浴室除湿機からの排水処理構造に関する。
【背景技術】
【０００２】
従来から、浴室から吸入した空気を除湿するヒートポンプを用いた除湿器を有するヒートポンプ式浴室除湿機は、例えば、特許文献１や特許文献２に示すように公知である。
【０００３】
【特許文献１】特公平７−１０４０５６号公報
【０００４】
【特許文献２】特開２００１−１１６２９０号公報
【発明の開示】
【発明が解決しようとする課題】
【０００５】
この特許文献１や特許文献２に示されるヒートポンプ式浴室除湿機は、除湿乾燥運転に換気を必要としないため、浴室内に屋外空気や花粉等が侵入せず、衣類乾燥に使用した場合には、これらの屋外空気や花粉からの汚染を防止することができ、また、換気による熱の排出が生じないため、除湿乾燥運転時のエネルギー効率が高く、さらには、夏季高温多湿時の除湿運転時における浴室内が過酷となるような温度上昇が生じないため、夏季の実用性が高いという利点を有しているが、ヒートポンプ式浴室除湿機からの排水を、排水ホースでそのまま壁づたいに浴室内へと排水するように構成されていたため、例えば、洗い場側に排水溝がない場合には、洗い場の床が濡れてしまい、また、ドレン排水による湿りから発生するカビ等による臭気が除湿機内へと逆流し易く不衛生であるという問題を有していた。
【０００６】
この発明は、かかる現状に鑑み創案されたものであって、その目的とするところは、ヒートポンプ式浴室除湿機からの排水を、浴室洗い場内に排水溝がない場合であっても、洗い場の床を濡らすことなく排水することができると共に、浴槽側排水部及び防水パン内の臭気が除湿機内へと逆流することを防止して衛生的な排水を行うことができ、しかも、メンテナンスも容易なヒートポンプ式浴室除湿機からの排水処理構造を提供しようとするものである。
【課題を解決するための手段】
【０００７】
上記目的を達成するため、請求項１記載のヒートポンプ式浴室除湿機からの排水処理構造にあっては、浴室の天井或は壁に設置されたヒートポンプ式浴室除湿機からの排水を、該除湿機のドレンパンで受けた後、該ドレンパンに一端が連通接続されたドレン排水管を通して、浴槽防水パンの水を排水する浴槽側排水部に連通接続された他端から、浴槽側排水部へと直接排水するように構成したことを特徴とする。
【０００８】
また、請求項２に記載の発明にあっては、請求項１に記載のヒートポンプ式浴室除湿機からの排水処理構造を技術的前提とし、前記ドレン排水管の途中には、Ｓ字トラップを設けたことを特徴とする。
【０００９】
さらに、請求項３に記載の発明にあっては、請求項２に記載のヒートポンプ式浴室除湿機からの排水処理構造を技術的前提とし、前記Ｓ字トラップは、浴槽エプロンを外したときに露呈する位置に配設されていることを特徴とする。
【発明の効果】
【００１０】
請求項１に記載の発明にあっては、浴室の天井或は壁に設置されたヒートポンプ式浴室除湿機からの排水を、該除湿機のドレンパンで受けた後、該ドレンパンに一端が連通接続されたドレン排水管を通して、浴槽防水パンの水を排水する浴槽側排水部に連通接続された他端から、浴槽側排水部へと直接排水するように構成したので、ヒートポンプ式浴室除湿機からの排水を、浴室洗い場内に排水溝がない場合であっても、洗い場の床を濡らすことなく排水することができるという効果を奏する。
【００１１】
また、請求項２に記載の発明にあっては、前記ドレン排水管の途中にＳ字トラップを設けたので、浴槽側排水部及び防水パン内の臭気が除湿機内へと逆流することを防止して衛生的な排水を行うことができる。
【００１２】
さらに、請求項３に記載の発明にあっては、前記Ｓ字トラップは、浴槽エプロンを外したときに露呈する位置に配設したので、メンテナンスも容易である等の効果が得られる。
【発明を実施するための最良の形態】
【００１３】
以下、添付図面に示す一実施形態例に基づいて、この発明を詳細に説明する。尚、この発明に用いることができるヒートポンプ式浴室除湿機の作動原理及び各部の構成・作用は、特許文献１や特許文献２に示すものや公知のヒートポンプ式除湿機と同様のものを適宜選択して用いることができるので、ここではその詳細な説明を省略する。
【００１４】
図１は、この発明の一実施形態例に係るヒートポンプ式浴室除湿機からの排水処理構造が適用された浴室の概略的な構成を示す斜視説明図を、図２は同浴室に設置される浴槽側排水トラップと洗い場側排水トラップの断面図を、図３は同浴槽側排水トラップと洗い場側排水トラップの接続例を示す分解斜視説明図を、図４は同排水処理構造におけるドレン排水管の他端の接続構造を示す斜視説明図を夫々示している。
【００１５】
図１に示すように、この実施形態例では、ヒートポンプ式浴室除湿機Ｈは、浴室Ｂの天井１の上に設置されており、該ヒートポンプ式浴室除湿機Ｈで発生した排水は、該ヒートポンプ式浴室除湿機Ｈのドレンパン（図示せず）で受けた後、該ドレンパンに一端が連通接続されたドレン排水管２０を通して、浴槽ＢＴがセットされる浴槽防水パン４の水を排水する浴槽側排水部３に連通接続された他端から、浴槽側排水部３へと直接排水するように構成されている。尚、図中１５は、該ヒートポンプ式浴室除湿機Ｈの排気筒である。また、この発明にあっては、上記ヒートポンプ式浴室除湿機Ｈは、浴室Ｂの壁面に取り付けることもできる。
【００１６】
洗い場側排水トラップ７は、下水側から臭気や害虫類が浴室内側に侵入することを防止する機能を備えた排水装置であって、その内部に封水と呼ばれる排水の溜まり部分を備えてなり、この封水によって臭気や害虫類が屋内側に侵入することを防止している。
【００１７】
即ち、浴槽側排水部３は、図２と図３に示すように、上端部が浴槽防水パン４の排水口５に水密状に連通接続され、他端部が洗い場側排水トラップ７に水密状に連通接続されている。また、上記排水口５には、Ｕパッキン６とスリップパッキン８を介してフランジ９が水密状に取り付けられ、該フランジ９には、図４に示すように、排水目皿１０が嵌装され、該排水目皿１０には、一端部が浴槽のポップアップ排水口（図示せず）に連通接続された他端部が排水エルボ１１を介して水密状に連通接続される。
【００１８】
そして、上記ドレン排水管２０の他端部は、この実施形態例では、図４に示すように、排水目皿１０に連通接続され、上記ヒートポンプ式浴室除湿機Ｈのドレンパンからの排水が直接に浴槽側排水部３内へと排水されるように構成されている。勿論、上記ドレン排水管２０の他端部は、排水目皿１０ではなく、例えば、排水エルボ１１に連通接続させてもよく、要は、上記ヒートポンプ式浴室除湿機Ｈのドレンパンからの排水が直接に浴槽側排水部３内へと排水されるように連通接続されればよい。このとき、ドレン排水管２０の他端部は、ダブルトラップとならないように、浴槽側排水部３の封水中に没しない位置としている。尚、図３中、符号１２は締付工具である。
【００１９】
また、上記ドレン排水管２０の途中であって、浴槽エプロン（図示せず）を外したときに露呈する位置（図１参照）にはＳ字トラップ２１が設けられており、浴槽側排水部３及び浴槽防水パン４内の臭気が上記ヒートポンプ式浴室除湿機Ｈ内へと逆流することを防止して衛生的な排水を行うことができるように構成されていると共に、Ｓ字トラップ２１のメンテナンスも容易に行うことができるように構成されている。
【図面の簡単な説明】
【００２０】
【図１】この発明の一実施形態例に係るヒートポンプ式浴室除湿機からの排水処理構造が適用された浴室の概略的な構成を示す斜視説明図である。
【図２】同浴室に設置される浴槽側排水トラップと洗い場側排水トラップの断面図である。
【図３】同浴槽側排水トラップと洗い場側排水トラップの接続例を示す分解斜視説明図である。
【図４】同排水処理構造におけるドレン排水管の他端の接続構造を示す斜視説明図である。
【符号の説明】
【００２１】
Ｂ  浴室
ＢＴ  浴槽
Ｈ  ヒートポンプ式浴室除湿機
１  天井
３  浴槽側排水部
４  浴槽防水パン
５  排水口
７  洗い場側排水トラップ
１０  排水目皿
１１  排水エルボ
２０  ドレン排水管
【図１】
2008000451.tif 000003
【図２】
2008000451.tif 000004
【図３】
2008000451.tif 000005
【図４】
2008000451.tif 000006